(57)【特許請求の範囲】
【請求項１】
縦枠材の内側面に横枠材を連結した枠体内に面材を装着した建具であって、
前記枠体の横枠材は、内側面に面材装着用溝を有すると共に、係合凹部を有し、
前記枠体の縦枠材は、内側面に設けた一側内向片と他側内向片で形成された面材装着用溝を有し、
前記一側内向片における横枠材と対向した横枠材連結部分を除去し、
前記他側内向片における横枠材と対向した横枠材連結部分を、前記係合凹部と対向した部分を残して除去し、
この他側内向片の残存した部分を、前記係合凹部に見込み方向の隙間なく嵌合して前記横枠材の長手方向端面を縦枠材の内側面に突き当て、その縦枠材と横枠材をビスで連結したことを特徴とする建具。
【請求項２】
他側内向片の残存した部分を、横枠材の係合凹部に見付け方向の隙間なく嵌合した請求項１記載の建具。
【請求項３】
縦枠材の他側内向片は、見込み方向に向けて斜めとした請求項１又は２記載の建具。
【請求項４】
横枠材の中空部に、下向係合凹部と上向係合凹部を相対向して形成して係合凹部とし、
他側内向片の残存した部分の上部を下向係合凹部に、見込み方向の隙間なく、上面が底面に接して嵌合し、
前記他側内向片の残存した部分の下部を上向係合凹部に、見込み方向の隙間なく、下面が底面に接して嵌合するようにした請求項１記載の建具。
【請求項５】
横枠材の面材装着用溝と縦枠材の面材装着用溝を、それぞれ見込み方向一側面寄りとし、この横枠材の見込み方向一側面における面材装着用溝を形成する部分を見込み方向他側に向けて斜めとし、
前記縦枠材の見込み方向一側面と一側内向片が連続し、かつその一側内向片は見込み方向他側に向けて斜めとした請求項１〜４いずれか１項記載の建具。
【発明の詳細な説明】
【技術分野】
【０００１】
本発明は、浴室ドアのドアや引き違い窓の障子等の枠体に面材を装着した建具に関する。
【背景技術】
【０００２】
従来から、上下の横枠材と左右の縦枠材を連結した枠体内に、ガラス、パネルなどの面材を装着した建具が知られている。
このような建具においては、横枠材と縦枠材を強固に連結して枠体が自重で変形したり、面材が外れないようにすることがある。
例えば、特許文献１に開示された建具においては、縦枠材の面材装着用溝を形成する一対の斜壁における横枠材連結部分を、その直立裾部を残存して切断して除去し、横枠材の中空部を前述の残存した直立裾部に嵌合して横枠材の長手方向端面を縦枠材に突き当て、ビスで連結している。
このようにして連結すれば、縦枠材の残存した一対の直列裾部と横枠材の中空部が嵌合しているので、縦枠材と横枠材を強固に連結できる。
【０００３】
【特許文献１】実開昭５６−１０７８９号公報
【発明の開示】
【発明が解決しようとする課題】
【０００４】
前述した従来の建具は、縦枠材の一対の斜壁の残存した一対の直立裾部が横枠材の中空部に嵌合し、その一対の直立裾部が中空部の見込み方向両側内面にそれぞれ接していると共に、その縦枠材の一対の斜壁間に面材の縦縁部が装着してあるので、その面材は縦枠材、横枠材の見込み方向中央部に装着されている。
このように、縦枠材と横枠材を強固に連結した従来の建具は、その面材が枠体の見込み方向中央部に装着されているので、枠体の見込み方向一側面と面材の一側面との間に形成された一側段差部の見込み寸法と、枠体の見込み方向他側面と面材の他側面との間に形成された他側段差部の見込み寸法が同一である。
このために、浴室に用いる建具の場合には、その見込み方向一側面を浴室側として使用しても、他側面が浴室側となるように使用しても、その一側段差部、他側段差部に湯水が溜り易いし、その段差部を拭き取る作業がやりずらい。
【０００５】
本発明の目的は、枠体に面材を装着した建具において、その枠体の縦枠材と横枠材を強固に連結できると共に、面材を枠体の見込み方向一側面寄りに装着することができるようにした建具を提供することである。
【課題を解決するための手段】
【０００６】
本発明は、縦枠材の内側面に横枠材を連結した枠体内に面材を装着した建具であって、前記枠体の横枠材は、内側面に面材装着用溝を有すると共に、係合凹部を有し、前記枠体の縦枠材は、内側面に設けた一側内向片と他側内向片で形成された面材装着用溝を有し、前記一側内向片における横枠材と対向した横枠材連結部分を除去し、前記他側内向片における横枠材と対向した横枠材連結部分を、前記係合凹部と対向した部分を残して除去し、この他側内向片の残存した部分を、前記係合凹部に見込み方向の隙間なく嵌合して前記横枠材の長手方向端面を縦枠材の内側面に突き当て、その縦枠材と横枠材をビスで連結したことを特徴とする建具である。
【０００７】
本発明においては、他側内向片の残存した部分を、横枠材の係合凹部に見付け方向の隙間なく嵌合することができる。
【０００８】
このようにすれば、横枠材と縦枠材を見付け方向に位置決めして連結できると共に、見付け方向にガタつくことがない。
【０００９】
本発明においては、縦枠材の他側内向片は、見込み方向に向けて斜めとすることができる。
【００１０】
このようにすれば、他側内向片の残存した部分が見込み方向に向けて斜めであるから、その残存部分を横枠材の係合凹部に容易に嵌合することができる。
【００１１】
本発明においては、横枠材の中空部に、下向係合凹部と上向係合凹部を相対向して形成して係合凹部とし、他側内向片の残存した部分の上部を下向係合凹部に、見込み方向の隙間なく、上面が底面に接して嵌合し、前記他側内向片の残存した部分の下部を上向係合凹部に、見込み方向の隙間なく、下面が底面に接して嵌合するようできる。
【００１２】
このようにすれば、他側内向片の残存した部分を横枠材の中空部に挿入して下向係合凹部、上向係合凹部に嵌合することで、横枠材と縦枠材を見込み方向、見付け方向に位置決めして連結できるし、ガタつくことがない。
よって、横枠材と縦枠材を簡単に嵌合して連結できる。
また、下向係合凹部、上向係合凹部と嵌合した他側内向片の残存した部分が見えないので、見栄えが良い。
【００１３】
本発明においては、横枠材の面材装着用溝と縦枠材の面材装着用溝を、それぞれ見込み方向一側面寄りとし、この横枠材の見込み方向一側面における面材装着用溝を形成する部分を見込み方向他側に向けて斜めとし、前記縦枠材の見込み方向一側面と一側内向片が連続し、かつその一側内向片は見込み方向他側に向けて斜めとすることができる。
【００１４】
このようにすれば、枠体の見込み方向一側面と面材の一側面との間に大きな段差部が生じることがない。
したがって、浴室建具とした場合に、その枠体の見込み方向一側面を浴室側とすることで、枠体の見込み方向一側面と面材の一側面との段差部に湯水が溜りずらいし、その段差部分を容易に拭き取ることができる。
【発明の効果】
【００１５】
本発明によれば、縦枠材の他側内向片における残存した部分が横枠材の係合凹部に嵌合していると共に、ビスで縦枠材と横枠材を連結しているので、縦枠材と横枠材を強固に連結できる。
また、前述の残存した部分は係合凹部に見込み方向の隙間がなく嵌合しているので、縦枠材と横枠材を見込み方向に位置決めできると共に、両者が見込み方向にガタつくことがない。
また、縦枠材の面材装着用溝を形成する一側内向片の横枠材連結部分は全て除去し、他側内向片の横枠材連結部分の一部分を残して除去し、この残存した部分を、横枠材の係合凹部に嵌合しているので、その他側内向片、係合凹部を見込み方向の任意の位置に設けることができ、その他側内向片、一側内向片を縦枠材の見込み方向一側面寄りに設けると共に、係合凹部を横枠材の見込み方向一側面寄りに設けることで、面材を枠体の見込み方向一側面寄りに装着することができる。
【発明を実施するための最良の形態】
【００１６】
図１に示すように、枠体１内に面材２を装着して建具３としてある。
前記枠体１は上の横枠材４と下の横枠材５と左右の縦枠材６を方形状に連結してある。
図１に示す実施の形態では、前記建具３をドア枠７に開閉自在に取付けて浴室ドアとしてある。
【００１７】
図２に示すように、前記上の横枠材４、下の横枠材５の見付け方向内側面（以下、単に内側面という）４ａ，５ａには面材装着用溝４ｂ，５ｂが形成してある。図２に示す実施の形態では、この面材装着用溝４ｂ，５ｂは横枠材４，５の見込み方向一側面（以下、単に一側面という）４ｃ，５ｃ寄りに形成してある。
【００１８】
図３に示すように、前記左右の縦枠材６の見付け方向内側面（以下、単に内側面という）６ａには、一側内向片１０と他側内向片１１が見込み方向に離隔して一体的に設けられ、この一側内向片１０と他側内向片１１と内側面６ａで面材装着用溝６ｂを形成している。図３に示す実施の形態では、この面材装着用溝６ｂは縦枠材６の見込み方向一側面（以下、単に一側面という）６ｃ寄りに形成してある。
つまり、前記一側内向片１０、他側内向片１１は縦枠６の内側面６ａにおける一側面６ｃ寄りにそれぞれ一体的に設けてある。この一側内向片１０、他側内向片１１は見付け方向の内側に向う。
【００１９】
前述の説明において、見付け方向とは、面材２に沿った方向で、例えば横枠材４，５の見付け方向とは上下方向で、縦枠材６の見付け方向とは左右方向である。
また、見付け方向内側面４ａ，５ａ，６ａとは枠体１の内周面を形成する面である。
また、見込み方向とは見付け方向と直交する方向で、面材２の厚さ方向に沿った方向である。この実施の形態においては横枠材４，５と縦枠材６の見込み方向とは浴室側と脱衣室側を結ぶ方向である。
【００２０】
前記上の横枠材４には図２に示すように係合凹部２０が形成してある。この係合凹部２０の見込み方向の形状は前記他側内向片１１が見込み方向の隙間なく嵌合する形状で、その他側内向片１１と見込み方向に同一位置に形成してある。
つまり、上の横枠材４の一側面４ｃと係合凹部２０との間の見込み方向の寸法は、縦枠材６の一側面６ｃと他側内向片１１との間の見込み方向の寸法と同一である。
前記係合凹部２０は、相対向した下向係合凹部２１と上向係合凹部２２を有する。
好ましくは、上の横枠材４の中空部４ｄの上内面に下向係合凹部２１が形成され、その中空部４ｄの下内面に上向係合凹部２２が形成されている。
この実施の形態では、前記上の横枠材４は一側板２３と他側板２４と内側板２５と連結板２６で中空部４ｄを有し、この連結板２６の下面に下向係合凹部２１を有すると共に、内側板２５の上面に上向係合凹部２２を有する断面形状の押出形材である。
前記一側板２３の面材装着用溝４ｂを形成する部分は見込み方向他側に向けて斜めである。
【００２１】
前記下の横枠材５には図２に示すように、係合凹部３０が形成してある。この係合凹部３０の見込み方向の形状は前記他側内向片１１が見込み方向の隙間なく嵌合する形状で、その他側内向片１１と見込方向に同一位置に形成してある。
つまり、下の横枠材５の一側面５ｃと係合凹部３０との間の見込み方向の寸法は、縦枠材６の一側面６ｃと他側内向片１１との間の見込み方向の寸法と同一である。
前記係合凹部３０は、相対向した下向係合凹部３１と上向係合凹部３２を有する。
好ましくは、下の横枠材５の中空部５ｄの上内面に下向係合凹部３１が形成され、その中空部５ｄの下内面に上向係合凹部３２が形成されている。
この実施の形態では、下の横枠材５は上下に中空部５ｄをそれぞれ有し、その各中空部５ｄ内に下向係合凹部３１、上向係合凹部３２がそれぞれ形成されている。
【００２２】
具体的には、前記下の横枠材５は一側板３３と他側板３４と内側板３５と内側連結板３６と外側連結板３７と外側板３８で上下に中空部５ｄを有し、上下中間に換気部５ｅを有すると共に、その内側板３５と外側連結板３７の下面に下向係合凹部３１を有し、内側連結板３６と外側板３８の上面に上向係合凹部３２を有する断面形状の押出形材である。
前記一側板３３の面材装着用溝５ｂを形成する部分は見込み方向他側に向けて斜めである。
【００２３】
つまり、前記上の横枠材４の一側面４ｃ、下の横枠材５の一側面５ｃにおける面材装着用溝４ｂ，５ｂを形成する部分は見込み方向他側に向けて斜めで、その各一側面４ｃ，５ｃと面材２の一側面２ａとで大きな段差部が形成されないようにしてある。
【００２４】
前記縦枠材６は図３に示すように、一側板１２と他側板１３と内側板１４と他側板１５を有し、その内側板１４に一側内向片１０と他側内向片１１を有する断面形状の押出形材である。
この縦枠材６の一側内向片１０は一側板１２と連続している。
つまり、縦枠材６の面材装着用溝６ｂを形成する一側内向片１０は縦枠材６の一側面６ｃと連続し、かつ見込み方向他側に向けて斜めで、この縦枠材６の一側面６ｃと面材２の一側面２ａとで大きな段差部が形成されないようにしてある。
【００２５】
図４に示すように、縦枠材６の一側内向片１０における上下の横枠材４，５と対向し、その横枠材４，５が連結される部分１０ａは除去されている。この除去した部分１０ａを仮想線で示す。この実施の形態では一側内向片１０における上部分１０ａが上の横枠材４の上下寸法（見付け寸法）に合せて除去され、下部分１０ａが下の横枠材５の上下寸法（見付け寸法）に合せて除去されている。
前記縦枠材６の他側内向片１１における上下の横枠材４，５と対向し、その横枠材４，５が連結される部分１１ａは、前記係合凹部２０，３０と対向した部分１１ｂを残して除去され、その残存した部分１１ｂを係合凹部２０，３０に嵌合する凸部としてある。この除去した部分１１ａを仮想線で示す。
この実施の形態では他側内向片１１における上の横枠材４が連結される上部分１１ａが、その係合凹部２０と嵌合する部分１１ｂを残して除去され、その他側内向片１１における下の横材５が連結される下部分１１ａが、２つの係合凹部３０と嵌合する２つの部分１１ｂを残して除去される。
前述の除去するとは、カッタ等で切断して除去すること、ペンチ等を用いて折り取ることで除去すること、プレスで打ち抜いて除去することを含むものである。
【００２６】
前記上の横枠材４の長手方向端面を縦枠材６の内側面６ａにおける横枠材連結部に突き当てることで、図２、図５に示すように、その係合凹部２０に他側内向片１１の残存した部分１１ｂが見込み方向の隙間なく嵌合する。
この実施の形態では、残存した部分１１ｂの上面と下面との間の寸法、つまり上下寸法（見付け寸法）が下向係合凹部２１の底面と上向係合凹部２２の底面間の寸法、つまり上下寸法（見付け寸法）と同じであるから、他側内向片１１の残存した部分１１ｂが係合部２０に上下方向（見付け方向）の隙間なく嵌合する。
この後に、縦枠材６と上の横枠材４をビス１６で連結する。
【００２７】
例えば、残存した部分１１ｂの上部が下向係合凹部２１に嵌合して上面が下向係合凹部２１の底面に接すると共に、その残存した部分１１ｂの下部が上向係合凹部２２に嵌合して下面が上向係合凹部２２の底面に接する。縦枠材６からビス１６を上の横枠材４のビスホール２７に螺合する。
【００２８】
このようにすることで、縦枠材６と上の横枠材４が強固に連結される。
また、残存した部分１１ｂと係合凹部２０が見込み方向の隙間がなく、しかも見付け方向の隙間がなく嵌合することで、縦枠材６と上の横枠材４が見込み方向及び見付け方向に位置決めされると共に、見込み方向及び見付け方向にずれることを防止し、縦枠材６と上の横枠材４を、その一側面６ｃ，４ｃ、他側面６ｄ，４ｅをそれぞれ面一として連結する。
また、係合凹部２０を中空部４ｄ内に設けることで、その係合凹部２０に嵌合した残存した部分１１ｂが見えなくなるから、見栄えが良い。
【００２９】
前記下の横枠材５の長手方向端面を縦枠材６の内側面６ａにおける横枠材連結部に突き当てることで、図２、図５に示すように、その係合凹部３０に他側内向片１１の残存した部分１１ｂが見込み方向の隙間なく嵌合する。
この実施の形態では、残存した部分１１ｂの上面と下面との間の寸法、つまり上下寸法（見付け寸法）が下向係合凹部３１の底面と上向係合凹部３２の底面間の寸法、つまり上下寸法（見付け寸法）と同じであるから、他側内向片１１の残存した部分１１ｂが係合部３０に上下方向（見付け方向）の隙間なく嵌合する。
この後に、縦枠材６と下の横枠材５をビス１６で連結する。
【００３０】
例えば、残存した部分１１ｂの上部が下向係合凹部３１に嵌合して上面が下向係合凹部３１の底面に接すると共に、その残存した部分１１ｂの下部が上向係合凹部３２に嵌合して下面が上向係合凹部３２の底面接する。縦枠材６からビス１６を下の横枠材５のビスホール３９に螺合する。
【００３１】
このようにすることで、縦枠材６と下の横枠材５が強固に連結される。
また、残存した部分１１ｂと係合凹部３０が見込み方向の隙間がなく、しかも見付け方向の隙間がなく嵌合することで、縦枠６と下の横枠材５が見込み方向及び見付け方向に位置決めされると共に、見込み方向及び見付け方向にずれることを防止し、縦枠材６と下の横枠材５を、その一側面６ｃ，５ｃ、他側面６ｄ，５ｆをそれぞれ面一として連結する。
また、係合凹部３０を中空部５ｄ内に設けることで、その係合凹部３０に嵌合した残存した部分１１ｂが見えなくなるから、見栄えが良い。
【００３２】
前記他側内向片１１は見込み方向に向けて斜めである。例えば他側内向片１１は縦枠材６の内側面６ａと直角に対して見込み方向一側に向けて斜めである。これにより、その残存した部分１１ｂを上下の横枠材４，５の係合凹部２０，３０に容易に嵌合することができる。
前記一側内向片１０の切断端面１０ｂ及び上下の横枠材４，５の一側面４ｃ，５ｃにおける面材装着用溝４ｂ，５ｄを形成する部分の長手方向の端面は、それぞれ４５度で、その一側内向片１０の切断端面１０ｂと前述の長手方向の端面が隙間なく接するようにしてある。
【００３３】
前述の実施の形態においては、下の横枠材５が上下の中間に換気部５ｅを有して上下寸法（見付け寸法）が大きいので、その上と下に係合凹部３０をそれぞれ形成し、縦枠材６の他側内向片１１の下方の２つの残存した部分１１ｂを各係合凹部３０に嵌合することで、上下寸法の大きな下の横枠材５を縦枠材６に強固に連結したが、上下寸法の小さな下の横枠材５であれば係合凹部３０は１つで良い。
また、縦枠材６の一側内向片１０は、一側面６ｃと連続しているが、これに限ることはなく、一側内向片１０は一側面６ｃと連続せずに内側面６ａに設けても良い。
【図面の簡単な説明】
【００３４】
【図１】本発明の実施の形態を示す浴室ドアの正面図。
【図２】本発明の実施の形態を示す浴室ドアの縦断面図である。
【図３】本発明の実施の形態を示す浴室ドアの横断面図である。
【図４】縦枠材の斜視図である。
【図５】縦枠材と上下の横枠材の嵌合部分の縦断面図である。
【符号の説明】
【００３５】
１…本体、２…面材、２ａ…一側面、４…上の横枠材、４ａ…内側面、４ｂ…面材装着用溝、４ｃ…一側面、４ｄ…中空部、４ｅ…他側面、５…下の横枠材、５ａ…内側面、５ｂ…面材装着用溝、５ｃ…一側面、５ｄ…中空部、５ｆ…他側面、６…縦枠材、６ａ…内側面、６ｂ…面材装着用溝、６ｃ…一側面、６ｄ…他側面、１０…一側内向片、１０ａ…横枠材連結部分、１１…他側内向片、１１ａ…横枠材連結部分、１１ｂ…残存部分、２０…係合凹部、２１…下向係合凹部、２２…上向係合凹部、３０…係合凹部、３１…下向係合凹部、３２…上向係合凹部。
【図１】
0004587313.tif 000002
【図２】
0004587313.tif 000003
【図３】
0004587313.tif 000004
【図４】
0004587313.tif 000005
【図５】
0004587313.tif 000006